(57)【要約】【課題】マーカーペンを用いて表示面に書き込まれた書き込み像を電子データとして記憶する。【解決手段】演算処理部７は、画像メモリ８ａに記憶された画像データと、画像メモリ８ｂに記憶された書き込み像の画像データとを合成し、表示面２ｂに表示された画像に書き込み像が合成された合成画像の画像データを生成する。画像メモリ８ｃは、演算処理部７によって生成された合成画像の画像データを記憶する。プロジェクタ１は、画像メモリ８ｂ或いは８ｃに記憶された画像データを紙媒体に印刷された画像としてプリンタ１２から出力できる。プロジェクタ１は、プロジェクタ１に電気的に接続されたパソコン（ＰＣ）１１に画像メモリ８ｂ又は８ｃに記憶された画像データを電子ファイルとして記憶しておくこともできる。【選択図】図４
2007102055.tif 000002
【特許請求の範囲】
【請求項１】
光源光を出射する光源と、
画像データに基づいて前記光源光を変調して出射する投射手段と、
前記投射手段からの光が投射される表示面を有しており、前記表示面に前記画像データに基づいた表示が行われるスクリーンと、
該スクリーンの前記表示面の側に配置されており、前記表示面に書き込まれた画像を読み取る読み取り手段と、
前記読み取り手段によって読み取られた画像のデータを記憶する記憶手段とを備えたこと
を特徴とするプロジェクタ。
【請求項２】
前記画像データと前記読み取られた画像のデータとを合成した画像データを生成する合成画像生成手段を備えたこと
を特徴とする請求項１に記載のプロジェクタ。
【請求項３】
前記光源光は、白色光であり、
前記投射手段は、前記読み取り手段が前記書き込み像を読み取る際に前記白色光を前記書き込み像に照射し、
前記読み取り手段は、前記白色光のうち前記スクリーンを透過した透過光を検出することによって前記書き込み像を読み取ること
を特徴とする請求項１又は２に記載のプロジェクタ。
【請求項４】
前記投射手段は、前記読み取り手段が前記書き込まれた画像を読み取る際に赤色、緑色及び青色の夫々の波長を有する色光の夫々を前記スクリーンに選択的に照射し、
前記読み取り手段は、前記色光のうち前記書き込み像を透過した光を前記色光毎に検出することによって、前記書き込み像を構成する赤色、緑色及び青色の夫々の色に対応する画像を読み取ること
を特徴とする請求項３に記載のプロジェクタ。
【請求項５】
前記スクリーンは、前記投射面を有する平板状のスクリーン本体部と、前記表示面を有する透明な書き込み板とを備えており、
前記スクリーン本体部及び前記書き込み板は、前記スクリーン本体部における前記投射面に対向する裏面と、前記書き込み板における前記表示面に対向する裏面とが互いに臨むように配置されており、
前記書き込み板は取り外しが可能であること
を特徴とする請求項１から４の何れか一項に記載のプロジェクタ。
【発明の詳細な説明】
【技術分野】
【０００１】
本発明は、例えば、リアプロジェクション方式で画像を表示するリアプロジェクションモニター等のプロジェクタの技術分野に関する。
【背景技術】
【０００２】
プロジェクタとは別に設けられたスクリーンに画像を投影することによって拡大された画像を表示できるプロジェクタ（所謂、フロントプロジェクタ）は、大型スクリーンに画像を表示できるため、会議やプレゼンテーション用のツールの一種として用いられている。このようなプロジェクタを用いてプレゼンテーションを行う発表者或いは会議を進行する進行役は、画像が投影されたスクリーンの所定の位置をレーザーポインタから出射された光、或いは支持棒によって指し示すことによって、スクリーンに投影された画像を説明しながらプレゼンテーション或いは会議を進行する場合が多い。
【０００３】
特許文献１は、フロントプロジェクタの保守及び製造に要する費用を抑制しつつ、画像が投影されたスクリーンを指し示したり、スクリーンに投影された画像に合わせてこのスクリーンに文字等を表示したりすることが可能な入力システム及び投射型表示システムを開示している。
【０００４】
近年、このようなフロントプロジェクタとは異なる画像表示方式を採用するリアプロジェクションモニターが知られている。リアプロジェクションモニターは、光源から出射された光を液晶パネル等の電気光学装置によって変調し、変調された光をダイクロイックプリズムによって合成して得られる投射光をスクリーンの裏面に投射することによってスクリーンの表示面の側から画像が見えるように構成されている。
【０００５】
【特許文献１】特開２０００−１４８３７５号公報
【発明の開示】
【発明が解決しようとする課題】
【０００６】
しかしながら、フロントプロジェクタは、リアプロジェクションモニターに比べて表示された画像が暗いため、大きなスクリーンが必要でない、例えばグループミーティング等の比較的少人数で行う会議を明るい部屋で行う場合、リアプロジェクションモニターに比べて表示された画像が見え難い問題点がある。
【０００７】
そこで、十分な大画面を有し、且つフロントプロジェクタに比べて明るい画像表示が可能なリアプロジェクションモニターに画像を表示しながら、会議を進めることも考えられるが、リアプロジェクションモニターに画像データを供給するパソコンでリアプロジェクションモニターに表示する画像に合わせて文字或いは絵を入力し、且つこれら入力された文字或いは絵の電子データを編集しながら会議を進めた場合、文字或いは絵の電子データをパソコンを用いて編集する操作は煩雑であり、且つ相応の処理時間を要する。特にリアプロジェクションモニターの表示された画像を説明しながら会議を進行する進行役には、会議の進行及び文字等の電子データの編集という複数の操作が要求されることになり、操作の煩雑さ、及び操作に要する時間はより一層大きくなる問題点がある。
【０００８】
加えて、リアプロジェクションモニターに表示された画像を直接見ながら、この画像が表示されたスクリーンに汎用のマーカーペンを用いて直接文字或いは絵を書き込みながら会議を進行したほうが、書き込まれた文字或いは絵等の書き込み情報と、スクリーンに表示された画像の関係が直接的に理解できる。したがって、このような書き込み情報を簡便な方法で記録できる技術に対する要望は大きいと考えられる。
【０００９】
また、リアプロジェクションモニターに表示された画像と、書き込まれた文字或いは絵等の書き込み情報との関連性が分かるように書き込み情報を記録しておくほうが、書き込み情報のみを記録する場合に比べて情報としての価値は相対的に高くなると考えられる。より具体的には、例えばリアプロジェクションモニターに表示された画像と、書き込まれた文字或いは絵との相対的な位置関係及び表示された画像に対して書き込まれた文字や絵のサイズをそのまま記録しておくほうが、記録された書き込み情報の価値は、書き込み情報のみを記録する場合に比べて一般的に高いと考えられる。
【００１０】
よって、本発明は上記問題点等に鑑みてなされたものであり、例えば、リアプロジェクションモニターのスクリーンに書き込まれた文字等の書き込み情報を簡便且つ迅速に記録し、書き込まれた文字等の書き込み情報をスクリーンに表示された画像と関連付けて記録することによって書き込み情報の価値を相対的に高めることができるプロジェクタを提供することを課題とする。
【課題を解決するための手段】
【００１１】
本発明に係るプロジェクタは上記課題を解決するために、光源光を出射する光源と、画像データに基づいて前記光源光を変調して出射する投射手段と、前記投射手段からの光が投射される表示面を有しており、前記表示面に前記画像データに基づいた表示が行われるスクリーンと、該スクリーンの前記表示面の側に配置されており、前記表示面に書き込まれた書き込み画像を読み取る読み取り手段と、前記読み取り手段によって読み取られた書き込み画像のデータを記憶する記憶手段とを備える。
【００１２】
本発明に係るプロジェクタによれば、例えば白色光源の一例であるハロゲンランプ等の光源から出射された光源光は、投射手段に導かれる。
【００１３】
投射手段は、例えば白色の光源光を赤色、緑色及び青色の光の３原色に分離する複数のミラー、各原色に対応するライトバルブとして夫々機能する複数の液晶パネル、及び表示すべき画像を構成する各原色の画像成分を合成するダイクロイックプリズムを備えており、表示すべき画像の画像データに基づいて液晶パネルが各原色の画像成分を変調することによって生成された変調光をダイクロイックプリズムが合成し、合成された合成光が表示面に出射される。尚、投射手段からの光は、投射手段の一部として設けられた反射ミラーによって反射されることによって表示面に出射される。
【００１４】
スクリーンは、所謂リアプロジェクションモニターの表示方式に基づいて表示面に画像データに基づいた表示を行う。
【００１５】
読み取り手段は、例えばＣＣＤ（Charge Coupling Device）型或いはＣＭＯＳ（Complementary Metal-Oxide Semiconductor）型の撮像素子を備えたスキャナーであり、スクリーンの表示面の側に配置されており、例えば汎用のマーカーペンを用いて表示面に書き込まれた文字或いは絵等の書き込み画像を読み取る。
【００１６】
記憶手段は、例えばスキャナー等の読み取り手段に電気的に接続されたメモリであり、読み取り手段から送信された、表示面に書き込まれた書き込み画像のデータを記憶する。これにより、別途パソコン等の情報処理手段を操作することなく、読み取り手段によって読み込まれたデータを容易に記憶しておくことが可能であり、別途パソコン等の情報処理手段を操作する煩雑さ、及び操作に要する時間はなくすことが可能である。
【００１７】
加えて、本発明に係るプロジェクタによれば、例えばマーカーペンを用いて表示面に直接文字或いは絵等の書き込み画像を書き込むことが可能であるため、例えば従来のホワイトボードにマーカーペンを用いて文字或いは絵を書き込む場合と同様に、表示面に簡便に文字等の画像を書き込むことが可能であるうえ、パソコンを用いて画像のデータを編集する場合に比べて画像のデータの修正も格段に簡便になる。より具体的には、表示面に書き込まれた文字或いは絵を構成するインクを拭き取ることによって、表示面において文字或いは絵等の画像を容易に修正できる。また、記憶手段は、書き込み像の背景となる画像の画像データとは別に、読み取り手段によって読み取られた書き込み画像のデータを記憶しておくことが可能である。
【００１８】
以上のように本発明に係るプロジェクタによれば、例えばリアプロジェクションモニターのスクリーンの表示面に書き込まれた書き込み画像のデータを簡便且つ迅速に記憶手段に記憶させておくことが可能である。
【００１９】
本発明に係るプロジェクタの一の態様では、前記画像データと前記読み取られた画像のデータとを合成した画像データを生成する合成画像生成手段を備えていてもよい。
【００２０】
この態様によれば、合成画像生成手段が書き込まれた画像のデータ及び画像データを合成することによって、書き込まれた画像のデータが画像データに重ね合わされた合成画像が生成される。より具体的には、画像合成手段は、ペンを用いて表示面に書き込まれた文字等の画像のデータの、例えばスクリーンに表示された画像上における平面的な位置、即ち表示面における座標情報、及び画像に対する相対的なサイズに関する情報等を記憶し、これら記憶された情報に基づいて、背景とされる画像に書き込まれた画像を合成し、一の合成画像を生成する。このような合成画像によれば、背景とされる画像及び書き込まれた画像の相対的な位置関係及びサイズの関係に関する情報により、書き込まれた画像のデータのみを記憶しておく場合に比べて、情報としての合成画像の価値を書き込まれた画像のデータのみが記憶されている場合に比べて相対的に高めることが可能である。
【００２１】
本発明に係るプロジェクタの他の態様では、前記光源光は、白色光であり、前記投射手段は、前記読み取り手段が前記書き込み像を読み取る際に前記白色光を前記書き込み像に照射し、前記読み取り手段は、前記白色光のうち前記スクリーンを透過した透過光を検出することによって前記書き込み像を読み取ってもよい。
【００２２】
この態様によれば、例えば投射手段は表示すべき画像に対応した光を照射する代わりに、光源から出射された白色光をそのまま表示面に照射する。書き込み像は、例えば表示面に白色光を遮るインクをペンを用いて塗布することによって形成された文字或いは絵であり、投射面に投射された白色光のうち書き込み像に到達した光は、書き込み像にさえぎられ、表示面のうち書き込み像が書き込まれていない領域では白色光がスクリーンを透過する。読み取り手段は、スクリーンを透過した白色光を検出することによって白色光が透過しなかった書き込み像を読み取ることが可能である。
【００２３】
この態様では、前記投射手段は、前記読み取り手段が前記書き込まれた画像を読み取る際に赤色、緑色及び青色の夫々の波長を有する色光の夫々を前記スクリーンに選択的に照射し、前記読み取り手段は、前記色光のうち前記書き込み像を透過した光を前記色光毎に検出することによって、前記書き込み像を構成する赤色、緑色及び青色の夫々の色に対応する画像を読み取ってもよい。
【００２４】
投射手段は、例えば複数のミラーを介して白色光を赤色、緑色及び青色の夫々の波長を有する３種類の色光に分離することでカラー表示を行っている。この態様においては、投射手段は、上記の各色光を選択的にスクリーンに照射する、すなわち全画面で各色光による単色表示を行うことで、読み取り手段は書き込み像に照射された色光毎に書き込み像を透過した光を検出し、書き込み像の色情報を読み取る。より具体的には、例えば書き込み像が赤色のインクで形成されている場合には、赤色、緑色及び青色の色光のうち緑色及び青色の光によって、読み取り手段が書き込み画像を検出することができ、読み取りが行われる。加えて、投射手段が選択的に各色光を書き込み像に照射し、読み取り手段が書き込み像を透過した各色光を検出することによって書き込み像をフルカラーで検出できる。したがって、この態様によれば、書き込み像の形状だけでなく、書き込み像の色情報も書き込み像の画像データに含ませることが可能である。また、赤色。緑色及び青色を順次書き込み像に照射することによって、読み取り手段はスクリーンを透過した各色光を検出できる。これにより、書き込み像をカラー表示で読み取ることも可能である。
【００２５】
本発明に係るプロジェクタの他の態様では、前記スクリーンは、前記投射面を有する平板状のスクリーン本体部と、前記表示面を有する透明な書き込み板とを備えており、
前記スクリーン本体部及び前記書き込み板は、前記スクリーン本体部における前記投射面に対向する裏面と、前記書き込み板における前記表示面に対向する裏面とが互いに臨むように配置されており、前記書き込み板は取り外しが可能であってもよい。
【００２６】
この態様によれば、書き込み板は取り外しが可能であり、繰り返し書き込み像をスクリーン本体部に書き込みことによってスクリーン本体部の表面に残留するインクを低減でき、スクリーン本体部を透過する投射光の透過率が低下することを抑制できる。
【００２７】
本発明のこのような作用及び他の利得は次に説明する実施形態から明らかにされる。
【発明を実施するための最良の形態】
【００２８】
以下図面を参照しながら、本実施形態に係るプロジェクタを説明する。
【００２９】
先ず、図１乃至図４を参照しながら本実施形態に係るプロジェクタの構成を説明する。図１は本実施形態に係るプロジェクタの正面図であり、図２は本実施形態に係るプロジェクタの側面図である。
【００３０】
図１において、プロジェクタ１は、画像を表示する表示面２ｂを有するスクリーン２、スキャナー６、及び後述する投射装置５を収納する筺体３を備えている。
【００３１】
スクリーン２は、筺体３内に臨む投射面に照射された投射光を表示面２ｂに透過させることによって表示面２ｂに画像を表示する透過型のスクリーンである。スクリーン２は、例えば筺体３の内側に配置された樹脂製のフレネルレンズシートと、このフレネルレンズシートから空気層を介して表示面２ｂ側に配置された樹脂製のレンチキュラレンズシートとが重ねて配置された多層構造を有している。スクリーン２によれば、フレネルレンズシートの背面側、即ち筺体３の内側から入射した投射光がフレネルレンズと空気層との界面で屈折し、屈折された投射光は空気層とレンチキュラレンズとの界面で屈折して集光される。その結果、画像は、スクリーン２の表示面２ｂに表示される。また、スクリーン２は、接着層を介してフレネルレンズシート及びレンチキュラシートが相互に接着されていてもよい。このような構成を有するスクリーン２によれば、迷光及びゴースト像の発生を抑制することができ、より一層高品位の画像を表示することが可能である。
【００３２】
図２において、プロジェクタ１は、投射装置５、反射ミラー４及びスキャナー６を備えている。
【００３３】
スクリーン２は、画像が表示される表示面２ｂ及び筺体３内に臨む投射面２ａを有している。表示面２ｂは、汎用のマーカーペンを用いて文字或いは絵等が自在に書き込める面である。表示面２ｂは、表示面２ｂに画像が表示された状態で文字或いは絵等を書き込めるように構成されている。したがって、表示面２ｂに表示された画像を見る観察者は、表示面２ｂに表示された画像を見ながら従来から用いられているマーカーペンを用いて表示面２ｂに文字等を書き込むことが可能である。
【００３４】
投射装置５は、筺体３内に収納されており、表示すべき画像の画像データに基づいて投射光Ｐを生成すると共にこの投射光Ｐを反射ミラー４を介してスクリーン２に照射する。
【００３５】
反射ミラー４は、スクリーン２からみて筺体３内の背面側に配置されており、投射装置５から出射された投射光Ｐをスクリーン２の投射面２ａに向かって反射する。その結果、投射光Ｐが表示面２ｂに到達し、表示面２ｂに画像が表示される。
【００３６】
スキャナー６は、スクリーン２からみて表示面２ｂの側に配置されており、不図示の駆動装置によって図中Ｘ方向に沿って移動可能である。スキャナー６は、スキャナー６における表示面２ｂに臨む側の面に設けられた複数の撮像素子によって、表示面２ｂに書き込まれた文字等の書き込み像を読み取る。このような撮像素子としては、汎用のスキャナー或いはデジタルカメラに用いられるＣＣＤ素子又はＣＭＯＳ素子が用いられる。また、後述するようにプロジェクタ１は、投射光Ｐを生成するための光源をスキャナー６の光源として兼用できるため、スキャナー６を簡便な構成にできる。尚、本実施形態のプロジェクタ１は、書き込み像を読み取る際に用いられる光源をスキャナー６が備えていることを除外するものではない。
【００３７】
次に、図３を参照しながら投射装置５の構成を詳細に説明する。図３は、投射装置５の詳細な構成を示す平面図である。
【００３８】
投射装置５は、その内部に本発明の「光源」の一例であるランプユニット１１０２、本発明の「投射手段」の一例を夫々構成するミラー１１０６、ダイクロイックミラー１１０８及び液晶パネル１１１０を備えている。
【００３９】
ランプユニット１１０２は、ハロゲンランプ等の白色光源であり、表示面２ｂに画像を表示する際に白色光をミラー１１０６に出射する。ランプユニット１１０２から射出された白色光は、ライトガイド１１０４内に配置された４枚のミラー１１０６および２枚のダイクロイックミラー１１０８によってＲＧＢの３原色に分離され、各原色に対応するライトバルブとして機能する液晶パネル１１１０Ｒ、１１１０Ｂ及び１１１０Ｇに入射する。
【００４０】
液晶パネル１１１０Ｒ、１１１０Ｂおよび１１１０Ｇの夫々は、画像信号処理回路から供給される赤色（Ｒ）、緑色（Ｇ）、青色（Ｂ）の原色信号に基づいて駆動される。４枚のミラー１１０６および２枚のダイクロイックミラー１１０８によってＲＧＢの３原色に分離された光は、各原色信号に基づいて駆動される液晶パネル１１１０Ｒ、１１１０Ｇ及び１１１０Ｂによって変調される。
【００４１】
ここで、液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転される。尚、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００４２】
液晶パネル１１１０Ｒ、１１１０Ｇ及び１１１０Ｂの夫々によって変調された変調光は、表示すべき画像を構成する各原色の画像成分を含んでいる。液晶パネル１１１０Ｒ、１１１０Ｇ及び１１１０Ｂの夫々から出射された変調光（Ｒ光、Ｇ光、Ｂ光）は、ダイクロイックプリズム１１１２に３方向から入射する。ダイクロイックプリズム１１１２では、液晶パネル１１１０Ｒから出射されたＲ光及び液晶パネル１１１０Ｂから出射されたＢ光が９０度に屈折する一方、液晶パネル１１１０Ｇから出射されたＧ光は直進する。ダイクロイックプリズム１１１２は、各色の画像成分（Ｒ光、Ｇ光、Ｂ光）を合成することによって投射光Ｐを生成すると共に、投射レンズ１１１４及び図２に示した反射ミラー４を介してスクリーン２の投射面２ａに投射光Ｐを投射する。これにより、表示面２ｂに表示すべき画像がカラー表示される。
【００４３】
投射装置５は、ランプユニット１１０２から出射された白色光をスクリーン２に照射し、スキャナー６が表示面２ｂに書き込まれた書き込み像を読み取る際の照明光を出射することが可能である。より具体的には、スキャナー６が書き込み像を読み取る際に、ランプユニット１１０２から出射された白色光は４枚のミラー１１０６及びダイクロイックミラー１１０８によって赤色、緑色及び青色の夫々の波長を持った光に分離されることなく、白色光のまま液晶パネル１１１０に入射される。
【００４４】
白色光は、液晶パネル１１１０によって遮られることなくそのまま拡大レンズ１１１４を介して反射ミラー４に出射される。反射ミラー４によって反射された白色光は、スクリーン２の投射面２ａの側からスクリーン２に照射される。マーカーペン等の汎用のペンに用いられるインクは白色光を透過させないため、投射面２ａに投射された白色光のうち書き込み像に到達した白色光は、書き込み像に遮られ、表示面２ｂのうち書き込み像が書き込まれていない領域では白色光がスクリーン２を透過する。スキャナー６は、スクリーン２を透過した白色光を検出することによって白色光が透過しなかった領域に書き込まれた書き込み像を読み取ることが可能である。
【００４５】
スキャナー６は、投射装置５から出射される照明光の波長に応じて書き込み像をカラー画像として読み取ることが可能である。スキャナー６が書き込み像を読み取る際に、投射装置５は、ランプユニット１１０２から出射された白色光を赤色、緑色及び青色の夫々の波長を有する３種類の色光に分離すると共に、これら３種類の色光の夫々をスクリーン２に投射面２ａの側から照射する。より具体的には、プロジェクタ１が備える制御部或いはプロジェクタ１の外部に設置されたＰＣ等の入力手段から送信された指示情報に基づいて４枚のミラー１１０６、ダイクロイックミラー１１０８及び液晶パネル１１１０の駆動が制御される。投射装置５は、ランプユニット１１０２から出射された白色光から赤色、緑色及び青色の夫々の波長のみを有する色光を順次スクリーン２に照射する。各色光に対する光の透過率が異なる材料を用いて表示面２ｂに書き込まれた書き込み像は、各色光に対する光の透過率が異なるため、スキャナー６に受光される各色光の割合が異なる。したがって、各色光を書き込み像に照射した際にスキャナー６が受光した画像データ、即ち書き込み像の色情報に基づいて書き込み像をカラー画像として読み取ることが可能である。また、投射装置５からスクリーン２に投射される各色光が書き込み像を透過するか否かが判定されるだけでも、書き込み像が赤色、緑色及び青色のどの色を有しているかを判定することも可能である。
【００４６】
このように、プロジェクタ１によれば、書き込み像の色情報を検出できるため、書き込み像の形状だけでなく、表示面２ｂに色分けして文字等の書き込み像が書き込まれたという事実も電子データとして記憶しておくことができ、読み込まれた書き込み像の情報としての価値を高めることが可能である。
【００４７】
次に、図４を参照しながら本実施形態に係るプロジェクタの情報処理系統の構成を説明する。図４は、本実施形態に係るプロジェクタ１の情報処理系統の構成を示すブロック図である。
【００４８】
図４において、プロジェクタ１は、投射装置５、スキャナー６及び回路部１０を備えている。
【００４９】
スキャナー６は、スクリーン２の表示面２ｂに書き込まれた文字等の書き込み像を読み取る。
【００５０】
回路部１０は、制御部９、本発明の「合成画像生成手段」に一例である演算処理部７、本発明の「記憶手段」の一例である画像メモリ８ｂ、画像メモリ８ａ及び８ｃを備えている。
【００５１】
制御部９は、投射装置５、スキャナー６、演算処理部７、画像メモリ８ａ、８ｂ及び８ｃの動作を制御する。尚、制御部９は、ＰＣ１１に入力された指令情報に基づいて投射装置５、スキャナー６、演算処理部、画像メモリ８ａ、８ｂ及び８ｃの動作を制御することも可能である。
【００５２】
画像メモリ８ｂは、スキャナー６が読み取った書き込み像の画像データを受け取り、この画像データを記憶する。したがって、表示面２ｂに書き込まれた文字或いは絵等の書き込み像の画像データを別途ＰＣ１１に記録する操作、及び画像データを編集する煩雑な操作を行うことなく、書き込み像の画像データを電子データとして画像メモリ８ｂに記憶しておくことが可能である。より具体的には、画像メモリ８ｂは、書き込み像の背景となる画像の画像データ、即ち表示面２ｂに表示された画像の画像データとは別に、書き込み像の画像データを記憶できる。加えて、スキャナー６が書き込み像を読み込むだけで、書き込み像が電子データとして記憶されるため、使用者が別途パソコン等の情報処理手段の操作に要する時間をなくすことが可能である。このように、プロジェクタ１によれば、スクリーン２の表示面２ｂに書き込まれた文字等の書き込み像を簡便且つ迅速に画像メモリ８ｂに記憶しておくことが可能である。
【００５３】
プロジェクタ１では、ペンを用いて表示面２ｂに直接文字或いは絵等の書き込み像を書き込むことが可能であるため、従来のホワイトボードにマーカーペンを用いて文字或いは絵を書き込む場合と同様に、表示面２ｂに簡便に書き込み像を書き込むことが可能である。例えば、使用者は、表示面に書き込まれた文字或いは絵を構成するインクを拭き取ることによって、表示面２ｂにおいて容易に文字或いは絵等の書き込み像を修正できる。
【００５４】
プロジェクタ１によれば、表示面２ｂに表示された画像と同じ画像をパソコン等の情報処理手段に接続されたディスプレイに表示させながらこのディスプレイに書き込み像と同じ像を重ねて表示させた状態でパソコンを用いて書き込み像を編集、又は記録する場合に比べて、書き込み像の修正又は記録を格段に簡便に行うことが可能である。これにより、使用者がパソコン等の情報処理手段を操作する負担を低減できる。
【００５５】
画像メモリ８ａは、表示すべき画像の画像データを記憶しており、制御部９の制御下でこの画像データを投射装置５に供給する。投射装置５は、画像メモリ８ａから供給された画像データに基づいて液晶パネル１１１０を駆動し、投射光を生成する。尚、画像メモリ８ａに記憶される画像データは、ＰＣ１１から供給される。
【００５６】
演算処理部７は、画像メモリ８ａに記憶された画像データと、画像メモリ８ｂに記憶された書き込み像の画像データとを合成し、表示面２ｂに表示された画像に書き込み像が合成された合成画像の画像データを生成する。
【００５７】
演算処理部７は、ペンを用いて表示面２ｂに書き込まれた文字等の書き込み像の、例えばスクリーン２に表示された画像に対する平面的な位置、即ち表示面２ｂにおける座標情報及びスクリーン２に表示された画像に対する相対的なサイズに関する情報等を記憶し、これら記憶された情報に基づいて、書き込み像の背景とされる画像に書き込み像を合成し、一の合成画像を生成する。
【００５８】
画像メモリ８ｃは、演算処理部７によって生成された合成画像の画像データを記憶する。
【００５９】
尚、プロジェクタ１は、画像メモリ８ｂ或いは８ｃに記憶された画像データを紙媒体に印刷された画像としてプリンタ１２から出力できる。プロジェクタ１は、プロジェクタ１に電気的に接続されたパソコン（ＰＣ）１１に画像メモリ８ｂ又は８ｃに記憶された画像データを電子ファイルとして記憶しておくこともできる。
【００６０】
ここで、図５及び図６を参照しながらスクリーン２に表示された画像、スクリーン２に書き込まれた書き込み像を具体的に例示し、画像メモリ８ｂ及び８ｃに記憶される画像データを説明する。図５は、スクリーン２に表示された画像、スクリーン２に書き込まれた書き込み像の関係を説明するための図である。図６は、画像メモリ８ｂ及び８ｃの夫々に記憶された画像データの一例を示す図である。
【００６１】
図５（ａ）において、グラフを含む画像ｇ１が表示された表示面２ｂのうちグラフ等の絵或いは文字が表示されない無地の画像が表示された領域３０に書き込み像ｇ２がペン２０を用いて書き込まれている。より具体的には、表示面２ｂは、投射面２ａに投射された投射光に応じて図５（ｂ）に示すように書き込み像ｇ２を含まない画像ｇ１を表示している。書き込み像ｇ２は、図５（ｃ）に示すように画像ｇ１とは別に表示面２ｂにペンを用いて物理的に書き込まれた像である。図５（ｃ）に示した書き込み像ｇ２は、スキャナー６によって読み込まれる。画像メモリ８ｂは、図６（ａ）に示すように書き込み像ｇ２を含む画像データＧ２を記憶する。画像メモリ８ｃは、図６（ｂ）に示すように画像ｇ１に書き込み像ｇ２を重ねて合成した合成画像Ｇ３の画像データを記憶する。
【００６２】
以上説明したように本実施形態のプロジェクタ１によれば、使用者がパソコンを用いて煩雑な操作を行うことなく表示面２ｂに書き込まれた文字等の書き込み像の画像データを記憶できることに加え、表示面２ｂに表示された画像及び表示面２ｂに書き込まれた書き込み像を合成した合成画像も簡便に生成できる。
【００６３】
（変形例）
次に、図７を参照しながら本実施形態のプロジェクタ１の変形例を説明する。図７は、本例に係るプロジェクタ１００の構成を示す側面図である。尚、本例では、上述のプロジェクタ１と共通する部分に共通の参照符号を付し、詳細な説明を省略する。
【００６４】
図７において、本例のプロジェクタ１００は、スクリーン本体部１０１及び書き込み板１０３からなるスクリーン１０２を備えている。
【００６５】
スクリーン本体部１０１は、投射装置５から出射される投射光が投射される投射面１０２ａを有している。書き込み板１０３は表示面１０３ａを有している。スクリーン本体部１０１及び書き込み板１０３の夫々は、投射面１０２ａ及び表示面１０３ａの夫々の裏面が互いに臨むように重ねて配置されている。書き込み板１０３は、繰り返し文字等の書き込み像が表示面１０３ａに書き込まれることによって表示面１０３ａが汚れた場合でも、別途清浄な表示面を有する他の書き込み板に取替え可能である。したがって、本例のプロジェクタ１００によれば、直接スクリーン本体部１０１に書き込み像を書き込みことによってスクリーン本体部１０１の表面に残留するインクを低減でき、スクリーン本体部１０１を透過する投射光の透過率が低下することを抑制でき、高品位の画像を表示できる。
【図面の簡単な説明】
【００６６】
【図１】本実施形態に係るプロジェクタを正面からみた正面図である。
【図２】本実施形態に係るプロジェクタの概略構成を示す側面図である。
【図３】本実施形態に係るプロジェクタが備えた投射装置の構成を示す平面図である。
【図４】本実施形態に係るプロジェクタの情報処理系統の構成を示すブロック図である。
【図５】スクリーンに表示された画像及び表示面に書き込まれた書き込み像の関係を説明するための図である。
【図６】画像メモリに記憶される画像データの概念図である。
【図７】本実施形態に係るプロジェクタの変形例を示す側面図である。
【符号の説明】
【００６７】
１、１００・・・プロジェクタ、２・・・スクリーン、４・・・反射ミラー、５・・・投射装置、６・・・スキャナー、８ａ、８ｂ、８ｃ・・・画像メモリ
【図１】
2007102055.tif 000003
【図２】
2007102055.tif 000004
【図３】
2007102055.tif 000005
【図４】
2007102055.tif 000006
【図５】
2007102055.tif 000007
【図６】
2007102055.tif 000008
【図７】
2007102055.tif 000009